(57)【要約】      （修正有）【課題】圧迫用流体袋の膨張による圧迫力を効率良く生体に伝達することを可能とし、圧迫用流体袋の大型化を回避することが可能な、血圧計用カフを提供する。【解決手段】装着部材１１と内帯１２とによって規定される収容空間内には、装着部材１１と内帯１２との接触摩擦を低減させるための潤滑部材１４が充填されている。この構成で、所望の圧迫力が生体に加えられるため、正確な値の脈波を検出することが可能になる。【選択図】        図２
2004261494.tif 000002
【特許請求の範囲】
【請求項１】
流体が供給される圧迫用流体袋と、前記圧迫用流体袋を生体に装着するための帯状の装着手段とを備える、血圧計用カフであって、
当該血圧計用カフは、前記圧迫用流体袋の生体側への膨張時に、前記圧迫用流体袋の膨張を妨げない構造を備える、血圧計用カフ。
【請求項２】
前記圧迫用流体袋の膨張を妨げない構造は、前記圧迫用流体袋の膨張が前記圧迫用流体袋と生体との間で発生する摩擦により阻害されるのを防ぐ構造を有する、請求項１に記載の血圧計用カフ。
【請求項３】
前記装着手段は、前記圧迫用流体袋を収容するための収容空間を規定し、その外面が生体に直接接する内帯を備え、
前記圧迫用流体袋の膨張を妨げない構造は、前記圧迫用流体袋の膨張が前記圧迫用流体袋と内帯との間で発生する摩擦により阻害されるのを防ぐ構造を有する、請求項１に記載の血圧計用カフ。
【請求項４】
流体が供給される圧迫用流体袋と、前記圧迫用流体袋を生体に装着するための帯状の装着手段とを備える、血圧計用カフであって、
前記圧迫用流体袋の前記生体に接触する側の材料として、フッソ樹脂またはフッソ樹脂を含む素材が用いられる、血圧計用カフ。
【請求項５】
流体が供給される圧迫用流体袋と、前記圧迫用流体袋を生体に装着するための装着手段とを備える、血圧計用カフであって、
前記装着手段は、前記圧迫用流体袋を収容するための収容空間を規定し、その外面が生体に直接接する内帯を備え、
前記圧迫用流体袋の前記内帯の内面に接触する側の材料および前記内帯の前記圧迫用流体袋の外面に接触する側の材料として、少なくともいずれか一方は、フッソ樹脂素材またはフッソ樹脂を含む素材が用いられる、血圧計用カフ。
【請求項６】
流体が供給される圧迫用流体袋と、前記圧迫用流体袋を生体に装着するための装着手段とを備える、血圧計用カフであって、
前記装着手段は、前記圧迫用流体袋を収容するための収容空間を規定し、その外面が生体に直接接する内帯を備え、
前記収容空間内には、潤滑材が充填されている、血圧計用カフ。
【発明の詳細な説明】
【０００１】
【発明の属する技術分野】
この発明は、生体に装着して血圧を測定する血圧計に使用する血圧計用カフに関し、より特定的には、圧迫用流体袋の生体側への膨張時に、圧迫用流体袋の膨張を妨げない構造を備える血圧計用カフの構造に関する。
【０００２】
【従来の技術】
たとえば、従来の手首式血圧計としては、特許文献１に開示されものが挙げられる。この特許文献１に開示される手首式血圧計の構造としては、図６に示すように、手首２００に巻きつける血圧計用カフ１００と本体装置（図示省略）とを備えている。血圧計用カフ１００は、本体装置から送り込まれる空気等の流体が供給される圧迫用流体袋１０３と、この圧迫用流体袋１０３を手首２００に装着するための帯状の装着部材１０１とを備える。また、装着部材１０１の手首２００側には、内帯１０２が設けられ、装着部材１０１と内帯１０２とによって規定される空間内に圧迫用流体袋１０３が収容されている。
【０００３】
通常、圧迫用流体袋１０３は軟質塩化ビニール等から構成され、装着部材１０１および内帯１０２は、ポリエステルやナイロン等から構成される。
【０００４】
手首２００は、橈骨２０１、尺骨２０２、橈骨動脈２０３、複数の腱２０４、尺骨動脈２０５等からなり、この手首式血圧計においては、圧迫用流体袋１０３により橈骨動脈２０３を選択的に圧迫することにより、橈骨動脈２０３からの脈波を検出して血圧測定を行なう。
【０００５】
また、従来の上腕式血圧計としては、特許文献２に開示されものが挙げられる。この特許文献２に開示される上腕式血圧計の構造としては、図７に示すように、上腕２１０に巻きつける血圧計用カフ１５０と本体装置（図示省略）とを備えている。血圧計用カフ１５０は、本体装置から送り込まれる空気等の流体が供給される圧迫用流体袋１５３と、この圧迫用流体袋１５３を上腕２１０に装着するための帯状の装着部材１５１とを備える。また、装着部材１５１の上腕２１０側には、内帯１５２が設けられ、装着部材１５１と内帯１５２とによって規定される空間内に圧迫用流体袋１５３が収容される。
【０００６】
この上腕式血圧計においては、圧迫用流体袋１５３により上腕部の動脈を圧迫することにより、動脈からの脈波を検出して血圧測定を行なう。
【０００７】
【特許文献１】
特開２００１−２２４５５８公報
【０００８】
【特許文献２】
特開昭６２−２９２１３６号公報
【０００９】
【発明が解決しようとする課題】
ここで、上記手首式血圧計および上腕式血圧計においては、以下に示す問題が挙げられる。
【００１０】
たとえば、再び図６を参照して、圧迫用流体袋１０３に空気が供給され圧迫用流体袋１０３が膨張しようとする場合、圧迫用流体袋１０３には延びようとする張力が働き、圧迫用流体袋１０３が適切に延びることで、生体に所望の圧迫力が伝達されることになる。しかし、手首２００と内帯１０２との間の摩擦力、内帯１０２と圧迫用流体袋１０３との間の摩擦力により、圧迫用流体袋１０３には圧迫用流体袋１０３の延びを阻害する力が働く。
【００１１】
図８（Ａ）は、圧迫用流体袋１０３の膨張前の手首２００、内帯１０２および圧迫用流体袋１０３の関係を示す状態であり、圧迫用流体袋１０３には何ら力が加わっていない。よって、内帯１０２および圧迫用流体袋１０３にも何ら力が加わっていない。
【００１２】
次に、図８（Ｂ）は、圧迫用流体袋１０３を膨張させた状態での手首２００、内帯１０２および圧迫用流体袋１０３の関係を示す状態である。圧迫用流体袋１０３内に流体が導入され、圧迫用流体袋１０３には圧迫力Ｆｃが加わる。その結果、圧迫用流体袋１０３を引き延ばすための張力Ｆｔが発生する。しかし、手首２００と内帯１０２との間の摩擦力、内帯１０２と圧迫用流体袋１０３との間の摩擦力により、圧迫用流体袋１０３自身の延びが阻害され、圧迫用流体袋１０３を引き延ばすための張力Ｆｔが圧迫用流体袋１０３に加わらない。そのため、手首２００に接する領域の圧迫用流体袋１０３が十分に延ばされないために、圧迫用流体袋１０３は外側に向けて膨らむことになる。その結果、圧迫力Ｆｃが手首２００に向かう方向に適切に加わらず、選択された橈骨動脈２０３を十分圧迫することができない。
【００１３】
このように、所望の圧迫力が得られないため、橈骨動脈２０３の圧迫力不足が生じる結果、正確な脈波が検出されず、血圧測定精度の信頼性を低下させる原因となる。また、所望の圧迫力を得るために、圧迫用流体袋の大型化を招くことにもなる。このことは、手首式血圧計だけでなく上腕式血圧計や、その他生体に流体袋の膨張力を利用して脈波を検出する形式の血圧計においても同様の問題が生じる。
【００１４】
したがって、この発明は上記課題を解決するためになされたものであり、圧迫用流体袋の膨張による圧迫力を効率良く生体に伝達することを可能とし、圧迫用流体袋の大型化を回避することが可能な、血圧計用カフを提供することにある。
【００１５】
【課題を解決するための手段】
この発明に基いた血圧計用カフのある局面においては、流体が供給される圧迫用流体袋と、上記圧迫用流体袋を生体に装着するための帯状の装着手段とを備える、血圧計用カフであって、当該血圧計用カフは、上記圧迫用流体袋の生体側への膨張時に、上記圧迫用流体袋の膨張を妨げない構造を備える。
【００１６】
また、この発明に基いた血圧計用カフの他の局面においては、上記圧迫用流体袋の膨張を妨げない構造は、上記圧迫用流体袋の膨張が上記圧迫用流体袋と生体との間で発生する摩擦により阻害されるのを防ぐ構造を有する。
【００１７】
また、この発明に基いた手首式血圧計用カフの他の局面においては、上記装着手段は、上記圧迫用流体袋を収容するための収容空間を規定し、その外面が生体に直接接する内帯を備え、上記圧迫用流体袋の膨張を妨げない構造は、上記圧迫用流体袋の膨張が上記圧迫用流体袋と内帯との間で発生する摩擦により阻害されるのを防ぐ構造を有する。
【００１８】
この構成により、圧迫用流体袋を膨張させた場合、圧迫用流体袋は内圧の上昇にともなって発生する圧迫用流体袋を引き延ばすための張力が圧迫用流体袋自身にスムーズに加わり、圧迫用流体袋は何ものにも阻害されずに自由に膨張を行なう。これにより、圧迫用流体袋の膨張による生体への圧迫力は外方に逃げることなく、生体に向けて圧迫力を加えることが可能になる。
【００１９】
その結果、所望の圧迫力が生体に加えられるため、生体に流体袋の膨張力を利用して脈波を検出する形式の血圧計において、正確な値の脈波を検出することが可能となる。また、効率良く圧迫力が生体に加えられる結果、圧迫用流体袋の不必要な大型化を回避することが可能になる。
【００２０】
この発明に基いた血圧計用カフの他の局面においては、流体が供給される圧迫用流体袋と、上記圧迫用流体袋を生体に装着するための帯状の装着手段とを備える、血圧計用カフであって、上記圧迫用流体袋の上記生体に接触する側の材料として、フッソ樹脂またはフッソ樹脂を含む素材が用いられる。
【００２１】
この構成により、圧迫用流体袋と生体との間の摩擦係数を従来のものに比べて低下させることが可能になる。その結果、圧迫用流体袋を膨張させた場合、圧迫用流体袋は内圧の上昇にともなって発生する圧迫用流体袋を引き延ばすための張力が圧迫用流体袋自身にスムーズに加わり、圧迫用流体袋は生体に阻害されずに自由に膨張を行なう。これにより、圧迫用流体袋の膨張による生体への圧迫力は外方に逃げることなく、生体に向けて圧迫力を加えることが可能になる。
【００２２】
その結果、所望の圧迫力が生体に加えられるため、生体に流体袋の膨張力を利用して脈波を検出する形式の血圧計において、正確な値の脈波を検出することが可能となる。また、効率良く圧迫力が生体に加えられる結果、圧迫用流体袋の不必要な大型化を回避することが可能になる。
【００２３】
この発明に基いた血圧計用カフのさらに他の局面においては、流体が供給される圧迫用流体袋と、上記圧迫用流体袋を生体に装着するための装着手段とを備える、血圧計用カフであって、上記装着手段は、上記圧迫用流体袋を収容するための収容空間を規定し、その外面が生体に直接接する内帯を備え、上記圧迫用流体袋の上記内帯の内面に接触する側の材料および上記内帯の上記圧迫用流体袋の外面に接触する側の材料として、少なくともいずれか一方は、フッソ樹脂素材またはフッソ樹脂を含む素材が用いられる。
【００２４】
また、この発明に基いた血圧計用カフのさらに他の局面においては、流体が供給される圧迫用流体袋と、上記圧迫用流体袋を生体に装着するための装着手段とを備える、血圧計用カフであって、上記装着手段は、上記圧迫用流体袋を収容するための収容空間を規定し、その外面が生体に直接接する内帯を備え、上記収容空間内には、潤滑材が充填されている。
【００２５】
上記各構成により、圧迫用流体袋と内帯との間の摩擦係数を従来のものに比べて低下させることが可能になる。その結果、圧迫用流体袋を膨張させた場合、圧迫用流体袋は内圧の上昇にともなって発生する圧迫用流体袋を引き延ばすための張力が圧迫用流体袋自身にスムーズに加わり、圧迫用流体袋は内帯に阻害されずに自由に膨張を行なう。これにより、圧迫用流体袋の膨張による生体への圧迫力は外方に逃げることなく、生体に向けて圧迫力を加えることが可能になる。
【００２６】
その結果、所望の圧迫力が生体に加えられるため、生体に流体袋の膨張力を利用して脈波を検出する形式の血圧計において、正確な値の脈波を検出することが可能となる。また、効率良く圧迫力が生体に加えられる結果、圧迫用流体袋の不必要な大型化を回避することが可能になる。
【００２７】
【発明の実施の形態】
以下、この発明に基づいた血圧計用カフの各実施の形態について、図を参照しながら説明する。なお、以下に示す血圧計用カフは、実施の形態１が手首式血圧計用カフであり、実施の形態２が上腕式血圧計用カフであるが、いずれも本発明を適用した一例にすぎず、本発明は、流体が供給される圧迫用流体袋と、この圧迫用流体袋を生体に装着するための帯状の装着手段とを備える血圧計用カフに対して広く適用することができるものである。
【００２８】
（実施の形態１）
図１および図２を参照して、実施の形態１における手首式血圧計用カフ１０について説明する。なお、図１は本実施の形態における手首式血圧計用カフ１０の縦断面図であり、図２は本実施の形態における手首式血圧計用カフ１０を手首に装着した状態での縦断面図である。なお、図２における手首２００の構造は、図６において説明したものと同じであるため同一の参照番号を付すことにより重複した説明は省略する。また、手首式血圧計の本体装置の図示も省略する。
【００２９】
（手首式血圧計用カフ１０の構造）
この実施の形態における手首式血圧計に用いられる手首式血圧計用カフ１０は、本体装置から送り込まれる空気等の流体が供給される圧迫用流体袋１３と、この圧迫用流体袋１３を手首２００に装着するための帯状の装着部材１１とを備える。また、装着部材１１の手首２００側には、内帯１２が設けられ、装着部材１１と内帯１２とによって規定される収容空間Ａ内に圧迫用流体袋１３が収容される。装着部材１１の一端の内側には、面ファスナ１５が設けられている。
【００３０】
圧迫用流体袋１３は軟質塩化ビニール等から構成され、装着部材１１および内帯１２は、ポリエステルやナイロン等から構成される。
【００３１】
また、装着部材１１と内帯１２とによって規定される収容空間Ａ内には、内帯１２と圧迫用流体袋１３との間の接触摩擦を低減させるための潤滑部材１４が充填されている。この潤滑部材１４の材料としては、基本的には、流動性を有する部材であればどのような材料の採用も可能であるが、好ましくは生体適合性を有する流動性物質であれば良く、さらに好ましくは、シリコンもしくはシリコンを含む潤滑材が挙げられる。
【００３２】
（作用）
以上、本実施の形態における手首式血圧計用カフ１０の構成によれば、圧迫用流体袋１３の膨張が阻害されるのを防ぐ構造として、装着部材１１と内帯１２とによって規定される収容空間内Ａに内帯１２と圧迫用流体袋１３との間の摩擦係数を小さくさせるための潤滑部材１４を充填している。
【００３３】
ここで、図３（Ａ），（Ｂ）を参照して、この潤滑部材１４の作用について説明する。なお、図３（Ａ）は圧迫用流体袋１３の膨張前の状態を示す模式図であり、図３（Ｂ）は圧迫用流体袋１３を膨張させた状態を示す模式図である。
【００３４】
圧迫用流体袋１３を膨張させた場合、圧迫用流体袋１３はその内圧の上昇にともなって発生する圧迫用流体袋１３を引き延ばすための張力Ｆｔが圧迫用流体袋１３自身にスムーズに加わり、圧迫用流体袋１３は内帯１２に阻害されず（図８（Ｂ）の状態）に自由に膨張を行なう（図３（Ｂ）の状態）。これにより、圧迫用流体袋１３の膨張による手首への圧迫力Ｆｃは外方に逃げることなく、手首（特に、選択された動脈）に向けて圧迫力を加えることが可能になる。
【００３５】
（実施の形態２）
次に、実施の形態２における上腕式血圧計用カフ２０について、図４および図５を参照して説明する。なお、図４は本実施の形態における上腕式血圧計用カフ２０の展開平面図であり、図５は本実施の形態における上腕式血圧計用カフ２０を上腕に装着した状態での縦断面図である。なお、上腕式血圧計の本体装置の図示は省略するものとする。
【００３６】
（上腕式血圧計用カフ２０の構造）
この実施の形態における上腕式血圧計に用いられる上腕式血圧計用カフ２０は、本体装置から送り込まれる空気等の流体が供給される圧迫用流体袋２３と、この圧迫用流体袋２３を上腕２１０に装着するための扇型をした帯状の装着部材２１とを備える。圧迫用流体袋２３には、流体導入出管２４が連結されている。また、装着部材２１の上腕２１０側には、内帯２２が設けられ、装着部材２１と内帯２２とによって規定される収容空間Ａ内に圧迫用流体袋２３が収容される。
【００３７】
圧迫用流体袋２３は軟質塩化ビニール等から構成され、装着部材２１および内帯２２は、ポリエステルやナイロン等から構成される。
【００３８】
また、装着部材２１と内帯２２とによって規定される収容空間Ａ内には、内帯２２と圧迫用流体袋２３との接触摩擦を低減させるための潤滑部材２５が充填されている。この潤滑部材２５の材料としては、基本的には、流動性を有する部材であればどのような材料の採用も可能である。その材料としてはシリコンもしくはシリコンを含む潤滑剤が挙げられるが、好ましくは生体適合性を有する流動性物質であれば良い。
【００３９】
（作用）
以上、本実施の形態における上腕式血圧計用カフ２０の構成によれば、圧迫用流体袋２３の膨張が阻害されるのを防ぐ構造として、装着部材２１と内帯２２とによって規定される収容空間Ａ内に内帯２２と圧迫用流体袋２３との間の摩擦係数を小さくさせるための潤滑部材２５を充填していることから、上記実施の形態１における、図３（Ａ），（Ｂ）を用いて説明したものと同様の作用を得ることが可能となる。これにより、圧迫用流体袋２３の膨張による上腕２１０への圧迫力Ｆｃは外方に逃げることなく、上腕２１０に向けて圧迫力を加えることが可能になる。
【００４０】
なお、上記実施の形態２においては、装着部材２１と内帯２２とによって規定される収容空間Ａ内において圧迫用流体袋２３を取囲むように潤滑部材２５を充填した場合について説明しているが、少なくとも生体に当接する側に潤滑部材２５を充填し、生体に当接しない側においては、装着部材２１と圧迫用流体袋２３とが接触するような構造であっても、図３（Ｂ）に示す作用を得ることは可能である。
【００４１】
（実施の形態３）
上記各実施の形態においては、装着部材と内帯とによって規定される収容空間内に潤滑部材を充填することにより、圧迫用流体袋の膨張を阻害する要因を排除している。
【００４２】
しかし、圧迫用流体袋の膨張が阻害される要因を排除することに着目すれば、生体に接触する側において、圧迫用流体袋と内帯との間の摩擦係数を低下させる構造を採用すれば良いことになる。たとえば、従来から圧迫用流体袋には、軟質塩化ビニールが用いられているが、内帯との関係において、圧迫用流体袋に軟質塩化ビニールよりも摩擦係数を低下させる材料を用いることにより、圧迫用流体袋に対して、図３（Ｂ）に示すような膨張を実現させることができる。そこで、このような圧迫用流体袋の材質としては、フッソ樹脂またはフッソ樹脂を含む素材が挙げられる。なお、圧迫用流体袋でなく、内帯側にこのフッソ樹脂またはフッソ樹脂を含む素材を用いても同様の作用を得ることができる。したがって、圧迫用流体袋の内帯の内面に接触する側の材料および内帯の圧迫用流体袋の外面に接触する側の材料として、少なくともいずれか一方に、フッソ樹脂素材またはフッソ樹脂を含む素材を用いることにより、上記実施の形態１および２と同様の作用を得ることができる。
【００４３】
（実施の形態４）
また、他の形態として、内帯が設けられず、圧迫用流体袋が直接生体に接触する血圧計用カフも考えられる。このような場合には、圧迫用流体袋の生体に接触する側の材料として、フッソ樹脂またはフッソ樹脂を含む素材を用いることにより、圧迫用流体袋として軟質塩化ビニールを用いるものに比べて、圧迫用流体袋の膨張が阻害される要因を排除することを可能とする。
【００４４】
この構成によっても、上記実施の形態１および２と同様の作用を得ることができる。
【００４５】
なお、上記実施の形態に示す構成を適宜組合せて用いることも可能である。また、上記各実施の形態においては、流体として空気を用いた場合について説明しているが、空気に限定されるものでなく、他の同様の性質を有する気体（酸素、二酸化炭素、ヘリュウム等）を用いることも可能である。また、気体に限らず水その他の液体を用いることも可能である。なお、液体を用いる場合には、流体経路に機密構造を採用して、液体漏れが生じないようにする必要がある。
【００４６】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【００４７】
【発明の効果】
この発明に基いた血圧計用カフによれば、所望の圧迫力が生体に加えられるため、生体に流体袋の膨張力を利用して脈波を検出する形式の血圧計において、正確な値の脈波を検出することが可能となる。また、効率良く圧迫力が生体に加えられる結果、測定精度を劣化させることなく、圧迫用流体袋の不必要な大型化を回避することが可能になる。
【図面の簡単な説明】
【図１】実施の形態１における手首式血圧計用カフの縦断面図である。
【図２】実施の形態１における手首式血圧計用カフを手首に装着した状態での縦断面図である。
【図３】実施の形態１における手首式血圧計用カフの作用を説明するための模式図であり、（Ａ）は圧迫用流体袋の膨張前の状態を示す模式図であり、（Ｂ）は圧迫用流体袋を膨張させた状態を示す模式図である。
【図４】実施の形態２における上腕式血圧計用カフの展開平面図である。
【図５】実施の形態２における上腕式血圧計用カフを上腕に装着した状態での縦断面図である。
【図６】従来の技術における手首式血圧計用カフの縦断面図である。
【図７】従来の技術における上腕式血圧計用カフを上腕に装着した状態での縦断面図である。
【図８】従来の技術における手首式血圧計用カフの問題点を説明するための模式図であり、（Ａ）は圧迫用流体袋の膨張前の状態を示す模式図であり、（Ｂ）は圧迫用流体袋を膨張させた状態を示す模式図である。
【符号の説明】
１０  手首式血圧計用カフ、１１，２１  装着部材、１２，２２  内帯、１３，２３  圧迫用流体袋、１４，２５  潤滑部材、１５  面ファスナ、２０  上腕式血圧計用カフ、２４  流体導入出管、Ａ  収容空間。
【図１】
2004261494.tif 000003
【図２】
2004261494.tif 000004
【図３】
2004261494.tif 000005
【図４】
2004261494.tif 000006
【図５】
2004261494.tif 000007
【図６】
2004261494.tif 000008
【図７】
2004261494.tif 000009
【図８】
2004261494.tif 000010